(57)【要約】 【課題】  前身頃、後身頃および脇身頃を含む上衣であって、簡単に形状を選択することができる上衣を提供する。【解決手段】  上衣１０は、前身頃１１、後身頃１２および脇身頃１３の３つの身頃で構成され、前身脇側部１５と後身脇側部２２とは、山形状に張り出す第１上部分１９および第２上部分２５をそれぞれ有し、これによって脇下部分に着用者の体表から離れる方向に膨出したゆとり部分を創出することができ、また第２上部分２５は、第１上部分１９の頂点から第２下部分２４寄りに頂点を有するように形状を選択することによって、身体のバランスに対応することができ、より上衣１０を身体に沿った形状にして、運動性を確保することができ、運動によって生ずる各部の引き攣れをなくし、さらに衣服布面と人体皮膚との摩擦をなくして着くずれを防止するばかりでなく、だぶつきをなくして静止着用状態におけるシルエットを所望の美しいシルエットに保つことができる。【選択図】      図１
2007247083.tif 000002
【特許請求の範囲】
【請求項１】
脇身頃、前身頃および後身頃を含む上衣であって、
前身頃は、一側部が脇身頃の一側部と縫合される前身脇側部を有し、
後身頃は、一側部が脇身頃の他側部と縫合される後身脇側部を有し、
脇身頃は、前身脇側部と縫合される脇身前側部と、後身脇側部と縫合される脇身後側部とを有し、
前記前身脇側部は、略直線状の第１下部分と、前記第１下部分に連結され、袖付け線の袖底部分を頂点として、脇身頃側に山形状に張り出す第１上部分とを有し、
前記後身脇側部は、略直線状の第２下部分と、前記第２下部分に連結され、袖付け線の袖底部分であって、第１上部分の頂点から第２下部分寄りを頂点として、脇身頃側に山形状に張り出す第２上部分とを有し、
前記脇身前側部は、略直線状の第３下部分と、第３下部分に連結され、袖底部分を構成するための第３上部分とを有し、
前記脇身後側部は、略直線状の第４下部分と、第４下部に連結され、袖底部分を構成するための第４上部分とを有し、
第１下部分と第３下部分とが縫合され、第１上部分と、第３上部分とが縫合され、
第２下部分と第４下部分とが縫合され、第２上部分と第４上部分とが縫合され、
第１〜第４上部分によって構成される袖底部分が、人体の腕付け根断面の底部位置付近に設けられることを特徴とする上衣。
【請求項２】
両脇身頃の幅寸法は、胴回り寸法に対する比が、０．２３以上０．２５以下であることを特徴とする請求項１記載の上衣。
【請求項３】
両肩幅は、着用者のショルダーポイント間の寸法より小さく設定されることを特徴とする請求項１または２記載の上衣。
【請求項４】
両肩幅は、胸回りに対する比が０．３６以上０．４０以下であることを特徴とする請求項３記載の上衣。
【請求項５】
上袖をさらに含み、
上袖は、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間していることを特徴とする請求項１〜４のいずれか１つに記載の上衣。
【請求項６】
上袖をさらに含み、
袖幅は、脇身頃の裾幅より予め定める突出量だけ大きく、前記突出量と第２上部分の張出量との合計が、６０ｍｍ以上１００ｍｍ以下であること特徴とする請求項１〜５のいずれか１つに記載の上衣。
【発明の詳細な説明】
【技術分野】
【０００１】
本発明は、着用者の運動性を許容する上衣に関する。
【背景技術】
【０００２】
図１０は、第１の従来の技術の上衣の前身頃１および後身頃２を示す正面図である。第１の従来の技術の上衣は、人体が静止している時に美しいシルエットを出すことを第１の目的として作られており、人体の立体構造を各関節部で切断したときに現れる楕円形に沿うような曲線を取り入れて構成される。前記上衣では、図１０に示すように、前身頃１および後身頃２とによって袖付け線３が構成され、袖付け線３の底部３ａが脇下袖底部３ａとなる。また前身頃１と後身頃２とが互いに平行な側縁にて縫合される。上衣に要求される機能には、外観のデザインと、着用者の日常生活の動作を許容する運動性とがある。前記運動性を向上するために、日常生活の動作に伴う人体各部の寸法変化に応じて、寸法上のゆとり量が決定される。
【０００３】
第１の従来の技術の上衣では、人体の静止時のシルエットを美しくすることに主眼をおいた技術が用いられているので、運動性に対する機能を充分に得ることができず、日常生活の動作においても着くずれを生じやすいという問題がある。特に、袖付け線３の位置および形状によって、腕を上下に運動させる場合などの腕の運動性が異なり、各身頃１，２の脇が引きりなどが生じる。しかしながら、上記点を考慮して袖の製図ならびに袖付け線３の製図を変更してゆくと、人体の曲線から離れ、シルエットをくずしてしまうだけでなく、だぶつきを与えてしまい、運動時に上衣の余分な部分がかえって運動を阻害するという結果になる。
【０００４】
このような課題を解決するために本件出願人は、第２の従来の技術の上衣として、前身頃、後身頃および脇身頃を含む上衣を開示している（たとえば特許文献１参照）。前記上衣は、脇身頃を含む点に特徴を有し、前身頃および後身頃が、袖付け線の袖底部分を頂点として、脇身頃側に山形状に張り出すように構成される。このような山形状の部分によって、脇下部分に着用者の体表から離れる方向に膨出したゆとり部分を創出することができる。これによって着用者は、腕の上げ下げや回転などの際にも引き攣れを生じず上半身の運動を楽にすることができる。しかも、このゆとり部分は着用者の脇下真下に位置することになるため、静止着用後には脇下にたたみ込まれる。したがって、だぶつきや着くずれが防止され、シルエットが損なわれることもない。
【０００５】
【特許文献１】特開昭６３−２８９０９号公報
【発明の開示】
【発明が解決しようとする課題】
【０００６】
前述の第２の従来の技術では、前身頃、後身頃および脇身頃の形状、特に前述の山形状の部分の形状によって、ゆとり部分が創出されるので、これらの形状を好適に選択する必要がある。各身頃は、相互に相関関係があるため、いずれか１つ身頃の形状を変更すると、残余の身頃の形状も変更する必要があり、好適な形状を選択することが困難である。
【０００７】
したがって本発明の目的は、前身頃、後身頃および脇身頃を含む上衣であって、簡単に形状を選択することができる上衣を提供することである。
【課題を解決するための手段】
【０００８】
本発明は、脇身頃、前身頃および後身頃を含む上衣であって、
前身頃は、一側部が脇身頃の一側部と縫合される前身脇側部を有し、
後身頃は、一側部が脇身頃の他側部と縫合される後身脇側部を有し、
脇身頃は、前身脇側部と縫合される脇身前側部と、後身脇側部と縫合される脇身後側部とを有し、
前記前身脇側部は、略直線状の第１下部分と、前記第１下部分に連結され、袖付け線の袖底部分を頂点として、脇身頃側に山形状に張り出す第１上部分とを有し、
前記後身脇側部は、略直線状の第２下部分と、前記第２下部分に連結され、袖付け線の袖底部分であって、第１上部分の頂点から第２下部分寄りを頂点として、脇身頃側に山形状に張り出す第２上部分とを有し、
前記脇身前側部は、略直線状の第３下部分と、第３下部分に連結され、袖底部分を構成するための第３上部分とを有し、
前記脇身後側部は、略直線状の第４下部分と、第４下部に連結され、袖底部分を構成するための第４上部分とを有し、
第１下部分と第３下部分とが縫合され、第１上部分と、第３上部分とが縫合され、
第２下部分と第４下部分とが縫合され、第２上部分と第４上部分とが縫合され、
第１〜第４上部分によって構成される袖底部分が、人体の腕付け根断面の底部位置付近に設けられることを特徴とする上衣である。
【０００９】
また本発明は、両脇身頃の幅寸法は、胴回り寸法に対する比が、０．２３以上０．２５以下であることを特徴とする。
【００１０】
さらに本発明は、両肩幅は、着用者のショルダーポイント間の寸法より小さく設定されることを特徴とする。
【００１１】
さらに本発明は、両肩幅は、胸回りに対する比が０．３６以上０．４０以下であることを特徴とする。
【００１２】
さらに本発明は、上袖をさらに含み、
上袖は、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間していることを特徴とする。
【００１３】
さらに本発明は、上袖をさらに含み、
袖幅は、脇身頃の裾幅より予め定める突出量だけ大きく、前記突出量と第２上部分の張出量との合計が、６０ｍｍ以上１００ｍｍ以下であること特徴とする。
【発明の効果】
【００１４】
本発明によれば、上衣は、前身頃、後身頃および脇身頃の３つの身頃で構成され、前身頃および後身頃と脇身頃とが縫合される前身脇側部と後身脇側部とは、山形状に張り出す第１上部分および第２上部分をそれぞれ有する。これによって脇下部分に着用者の体表から離れる方向に膨出したゆとり部分を創出することができる。着用者は、このゆとり部分によって、腕の前後、斜めの運動と身体の屈伸およびねじり運動に対する運動性を得ることができ、さらに袖底を脇身頃が形成することによって、腕の上下運動に対する運動性を得ることができる。さらに、袖付け線の袖底部分を人体の腕付け根断面の底部位置に設定したことによって、ゆとり部分をすべてヌードボディ寸法上の脇下箇所に集中させることができ、シルエットを美しく保ち、だぶつきをなくすことができる。
【００１５】
また第２上部分は、第１上部分の頂点から第２下部分寄りに頂点を有する。身体は、前身表面より後身表面の方が大きく、また腕を真上に上げようとすると、人間工学上、腕はやや前方に傾くので、第２上部分が第２下部分寄りに頂点を有することによって、前述のような身体のバランスに対応することができる。これによってより上衣を身体に沿った形状にして、運動性を確保することができ、容易に上衣の形状を選択することができる。したがって本発明の上衣によって、運動によって生ずる各部の引き攣れをなくし、さらに衣服布面と人体皮膚との摩擦をなくして着くずれを防止するばかりでなく、だぶつきをなくして静止着用状態におけるシルエットを所望の美しいシルエットに保つことができる。
【００１６】
また本発明によれば、両脇身頃の幅寸法は、胴回り寸法に対する比が、０．２３以上０．２５以下である。前述の比が、０．２３未満であると、両脇身頃の幅寸法が胴回り寸法に対して小さくなりすぎて、肩関節の運動が阻害され、０．２５より大きいと、脇身頃部分がだぶつき、きれいなシルエットを表現することができなくなる。したがって両脇身頃の幅寸法は、胴回り寸法に対する比を、０．２３以上０．２５以下に設定することによって、肩関節の運動が阻害されることを防止することができ、かつきれいなシルエットを表現することができる。
【００１７】
さらに本発明によれば、両肩幅は、着用者のショルダーポイント間の寸法より小さく設定される。従来の技術では、両肩幅は、ショルダーポイント間の寸法に等しく設定されるので、袖付け線に沿って縫合される部分によって、着用者の肩関節の運動が阻害されるおそれがある。本発明では、両肩幅は、着用者のショルダーポイント間の寸法より小さく設定されるので、肩関節の運動の中心に袖付け線を配置することができる。したがって袖付け線に沿って縫合される部分によって、着用者の肩関節の運動を阻害することを防ぐことができる。これによって運動性をより許容する上衣を実現することができる。
【００１８】
さらに本発明によれば、両肩幅は、胸回りに対する比が０．３６以上０．４０以下である。肩幅と胸回りとの関係によって、肩関節の運動を阻害、および引き攣れが生じるおそれがあり、前述の比が、０．３６未満であると、両肩幅より胸回りの寸法が大きくなりすぎて、身頃部分がだぶつき、きれいなシルエットを表現することができず、０．４０より大きいと、両肩幅より胸回りが小さくなりすぎて、肩関節の運動が阻害される。したがって両肩幅は、胸回りに対する比が０．３６以上０．４０以下に設定することによって、肩関節の運動が阻害されることを防止することができ、かつきれいなシルエットを表現することができる。
【００１９】
さらに本発明によれば、上袖は、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間している。前述したように、身体は、前身表面より後身表面の方が大きく、また腕を真上に上げようとすると、人間工学上、腕はやや前方に傾く。したがって第２上部分の頂部に縫合される部分を中心線が延びる方向の袖山側に離間させることによって、前述のような身体のバランスに起因して、袖の軸線回りに不所望に角変位することを防ぐことができる。これによって袖を腕に沿った形状にして、運動性を確保することができる。
【００２０】
さらに本発明によれば、袖幅は、袖幅は、脇身頃の裾幅より予め定める突出量だけ大きく、前記突出量と第２上部分の張出量との合計が、６０ｍｍ以上１００ｍｍ以下である。前述の合計が１００ｍｍより大きくなると、だぶつき部分が大きくなりすぎ、前述の合計が６０ｍｍより小さくなると、だぶつき部分が小さくなりすぎるので、前述の合計を６０ｍｍ以上１００ｍｍ以下に設定することによって、だぶつき部分によって運動性を確保し、かつ所望のシルエットを得る上衣を実現することができる。
【発明を実施するための最良の形態】
【００２１】
以下、図面を参照しながら本発明を実施するための形態について説明する。図１は、本発明の実施の一形態の上衣１０を構成する前身頃１１および後身頃１２を示す正面図である。図２は、上衣１０を構成する脇身頃１３を示す正面図である。図３は、前身頃１１を示す正面図である。図４は、後身頃１２を示す正面図である。図５は、上衣１０を構成する上袖１４、前身頃１１、後身頃１２および脇身頃１３の寸法関係を説明するための図である。図６は、上衣１０を示す図であって、左半分は正面図を示し、右半分は背面図を示す。上衣１０は、前身頃１１、後身頃１２、脇身頃１３および上袖１４を含んで構成される。図１では、理解を容易にするため、前身頃１１と後身頃１２とを重ねて示し、後身頃１２を破線で示す。また図５では、理解を容易にするため、上袖１４を仮想的に示す。脇身頃１３は、一側部が前身頃１１の一側部に縫合され、他側部が後身頃１２の一側部に縫合される。
【００２２】
前身頃１１の一側部は、前身脇側部１５および前身頃袖付け部１６を有する。前身脇側部１５は、脇身頃１３の一側部と縫合される。また前身頃袖付け部１６は、一端部が前身脇側部１５の一端部に連結され、袖付け線１７を構成する。前身脇側部１５は、第１下部分１８と第１上部分１９とを有する。第１下部分１８は、略直線状に構成される。用語「略直線状」は、直線を含む。第１上部分１９は、前記第１下部分１８の一端部に連結され、袖付け線１７の袖底部分２０を頂点として、脇身頃１３側に山形状に張り出す第１突出部分２１を有する。
【００２３】
後身頃１２の一側部は、後身脇側部２２および後身頃袖付け部２３を有する。後身脇側部２２は、脇身頃１３の一側部と縫合される。また後身頃袖付け部２３は、一端部が後身脇側部２２の一端部に連結され、袖付け線１７を構成する。後身脇側部２２は、第２下部分２４と第２上部分２５とを有する。第２下部分２４は、略直線状に構成される。第２上部分２５は、前記第２下部分２４の一端部に連結され、袖付け線１７の袖底部分２０を頂点として、脇身頃１３側に山形状に張り出す第２突出部分２６を有する。
【００２４】
第２突出部分２６の頂点２６ａは、図１に示すように、第１突出部分２１の頂点２１ａから第２下部分２４寄りとなるように構成される。第１突出部分２１の頂点２１ａと第２突出部分２６の頂点２６ａとの間隔Ｌ１は、たとえば１０ｍｍ以上３０ｍｍ以下に設定される。また第２突出部分２６の第２下部分２４に対する張出量Ｌ２は、第１突出部分２１の第１下部分１８に対する張出量Ｌ３よりも大きくなるように構成される。第１突出部分２１の張出量Ｌ３は、たとえば２０ｍｍ以上３０ｍｍ以下に設定される。また第２突出部分２６の張出量Ｌ２は、たとえば３０ｍｍ以上５０ｍｍ以下に設定される。
【００２５】
脇身頃１３は、一側部に脇身前側部２７および第１袖付け部２８を有し、他側部に脇身後側部２９および第２袖付け部３０を有する。脇身前側部２７は、前身頃１１の前身脇側部１５と縫合される。また脇身後側部２９は、後身頃１２の後身脇側部２２と縫合される。第１袖付け部２８および第２袖付け部３０は、上袖１４の両側部にそれぞれ縫合される部分であって、袖付け線１７を構成する。脇身前側部２７は、略直線状に構成され、一端部が第１袖付け部２８に連結される。脇身後側部２９は、略直線状に構成され、一端部が第２袖付け部３０に連結される。
【００２６】
脇身頃１３の脇身前側部２７と第１袖付け部２８との連結部分である第１部分１３ａと、第１突出部分２１の頂点２１ａとが一致するように縫合される。また脇身頃１３の脇身後側部２９と第２袖付け部３０との連結部分である第２部分１３ｂと、第２突出部分２６の頂点２６ａとが一致するように縫合される。したがって第１部分１３ａと第２部分１３ｂから上側の部分は、袖底を構成する。
【００２７】
脇身頃１３は、図２にて仮想線を示す部分であって、脇身前側部２７と第１袖付け部２８との連結部分１３ａと、脇身後側部２９と第２袖付け部３０との連結部分１３ｂとを直線で結ぶ部分が、袖底部分２０となり、袖付け線１７を構成する。脇身頃１３は、図２に示すように、第１袖付け部２８および第２袖付け部３０が脇身前側部２７および脇身後側部２９に対して、前身頃１１側に傾斜するように構成される。前述の前身頃１１側への傾斜角度αは、たとえば１０度以上１２度以下に設定される。このように構成される袖底部分２０が、人体の腕付け根断面の底部位置付近に設けられる。
【００２８】
前身頃袖付け部１６の他端部は、前袖ぐり線の終点となる。また後身頃袖付け部２３の他端部は、後袖ぐり線の終点となる。また第１突出部分２１および第２突出部分２６の頂部２１ａ，２６ａは、人体ヌードボディの脇下位置、すなわち、人体の腕付け根断面の底部位置に相当し、静止状態における張出し部の布のたるみを脇下にたたみ込んで収納する最も重要なポイントとなる。したがって従来の技術の上衣１０では、袖付け線１７の底部はいわゆるバストライン付近に設定されるが、本実施の形態の上衣１０では、バストラインの上方に移動したポイントとなる。
【００２９】
脇身頃１３の略直線状の縫合部である脇身前側部２７および脇身後側部２９と、第１突出部分２１および第２突出部分２６を有する第１上部分１９および第２上部分２５とを縫合することによって、張り出し部分が立体的に、体表から遠ざかる方向に膨らんで余分な布を提供し、これが運動の際のゆとりを与える働きをする。ゆとり量は、第１突出部分２１の張出量Ｌ３と第２突出部分２６の張出量Ｌ２、および第１部分１３ａと第２部分１３ｂとの寸法である脇身頃１３の幅寸法Ｌ４によって決定される。
【００３０】
図７は、上衣１０を示す平面図であって、胴回りを説明するための平面図である。両脇身頃の幅寸法は、胴回り寸法に対する比が、０．２３以上０．２５以下に設定される。換言すると、胴回り寸法：両脇身頃の幅寸法＝１：０．２３以上０．２５以下に設定される。したがって前身頃１１の幅寸法Ｌ５と後身頃１２の幅寸法Ｌ６との合計の値と、脇身頃１３の幅寸法Ｌ４を２倍した値との比が、７７：２３以上７５：２５以下に設定される。
【００３１】
本実施の形態では、両肩幅は、着用者のショルダーポイント間の寸法より小さく設定される。従来の技術では、両肩幅はショルダーポイント間の距離であるが、本実施の形態では、肩関節の運動性を向上するために両肩幅を、たとえば２０ｍｍ以上３０ｍｍ以下小さくして、上衣１０の各寸法が設定される。また両肩幅は、胸回りに対する比が０．３６以上０．４０以下であり、好ましくは、０．３７以上０．３９以下に設定される。
【００３２】
図８は、上袖１４を示す正面図である。上袖１４は、袖山３３の縁部１４ａが、前身頃袖付け部１６および後身頃袖付け部２３に縫合される。また上袖１４は、一側部が前述の第１袖付け部２８に縫合され、他側部が前述の第２袖付け部３０に縫合される。袖山３３と上袖１４の一側部との連結部分である第３部分３３ａは、第１部分１３ａおよび第１突出部分２１の頂部２１ａと一致するように縫合される。また袖山３３と上袖１４の他側部との連結部分である第４部分３３ｂは、第２部分１３ｂおよび第２突出部分２６の頂部２６ａと一致するように縫合される。
【００３３】
上袖１４は、第１上部分１９の頂部２１ａに縫合される第３部分３３ａから延び、上袖１４の中心線３５に対して垂直な第１垂線３６に対して、第２上部分２５の頂部２６ａに縫合される第４部分３３ｂから延び、上袖１４の中心線３５に対して垂直な第２垂線３７が、中心線３５が延びる方向の袖山３３側に離間している。換言すると、上袖１４は、第４部分３３ｂが第３部分３３ａよりも、中心線３５が延びる方向に沿って袖山３３側となるように構成される。上袖１４の中心線３５は、袖山３３の頂部３３ｃから延び、袖口３４に対して垂直な直線である。したがって袖山３３の頂部３３ｃから、袖口３４に引いた上袖１４の中心線３５に直交し第３部分３３ａを通過する第１垂線３６から、中心線３５が延びる方向に関して、袖山３３の頂部３３ｃ側に、第４部分３３ｂが配置されるように袖山３３の形状が選択される。第３部分３３ａと第４部分３３ｂとの中心線３５が延びる方向に関する間隔Ｌ７は、たとえば５ｍｍ以上１５ｍｍ以下に設定され、好ましくは１０ｍｍに設定される。
【００３４】
また上袖１４の袖幅は、脇身頃１３の裾幅より予め定める突出量Ｌ８だけ大きく、前記突出量Ｌ８と第２上部分２５の張出量Ｌ２との合計が、６０ｍｍ以上１００ｍｍ以下に設定される。本実施の形態では、上袖１４の袖幅は、図５に示すように、脇身頃１３の裾幅より予め定める突出量Ｌ８、たとえば４０ｍｍだけ大きく、前記突出量Ｌ８と第２上部分２５の張出量Ｌ２とが等しくなるように構成される。したがって前記突出量Ｌ８と第２上部分２５の張出量Ｌ２との合計が、８０ｍｍに設定される。
【００３５】
図９は、４種類の上衣１０を示す正面図である。図９では、各上衣１０の形状の差が明瞭となるように、肩幅、胸回りおよび袖回りが一定であるとの条件の下、各上衣１０の形状を誇張して示す。各上衣１０は、第１突出部分２１の頂点２１ａと第２突出部分２６の頂点２６ａとの間隔Ｌ１を、２０ｍｍおよび２５ｍｍに設定され、脇身頃１３の幅寸法Ｌ４がそれぞれ異なり、脇身頃１３の前身頃１１側への傾斜角αが異なるように設定される。
【００３６】
図９（ａ）および図９（ｂ）に示す第１の上衣１０ａでは、第１突出部分２１の頂点２１ａと第２突出部分２６の頂点２６ａとの間隔Ｌ１がＬ１１＝２５ｍｍに設定され、脇身頃１３の幅寸法Ｌ４がＬ４１＝１１５ｍｍに設定され、脇身頃１３の前身頃１１側への傾斜角αがα１＝１０度に設定される。このような上衣１０では、袖口のねじれ現象が生じ、前袖付け部分が脇へ食い込む。
【００３７】
図９（ｃ）および図９（ｄ）に示す第２の上衣１０ｂでは、第１突出部分２１の頂点２１ａと第２突出部分２６の頂点２６ａとの間隔Ｌ１がＬ１１＝２５ｍｍに設定され、脇身頃１３の幅寸法Ｌ４がＬ４２＝１６０ｍｍに設定され、脇身頃１３の前身頃１１側への傾斜角αがα１＝１０度に設定される。このような上衣１０では、第１の上衣１０ａより、脇身頃１３の幅寸法Ｌ４を大きくすることによって、袖口にねじれ現象および前袖付け部分が脇へ食い込む現象は解消されたが、別の現象として、着用者が腕を振り上げると、後身頃１２側に引き攣り現象が生じ、外観上脇身頃１３が大きいため、袖底付位置部分にだぶつきを感じた。
【００３８】
図９（ｅ）および図９（ｆ）に示す第３の上衣１０ｃでは、第１突出部分２１の頂点２１ａと第２突出部分２６の頂点２６ａとの間隔Ｌ１がＬ１２＝２０ｍｍに設定され、脇身頃１３の幅寸法Ｌ４がＬ４３＝１２０ｍｍに設定され、脇身頃１３の前身頃１１側への傾斜角αがα２＝１２度に設定される。このような上衣１０では、第２の上衣１０ｂより、各頂点の間隔を小さく、脇身頃１３の幅寸法Ｌ４を小さくすることによって、前述の後身頃１２側に引き攣り現象が解決されたが、前袖付け部分が脇へ食い込む現象が生じる。
【００３９】
図９（ｇ）および図９（ｈ）に示す第４の上衣１０では、第１突出部分２１の頂点２１ａと第２突出部分２６の頂点２６ａとの間隔Ｌ１がＬ１２＝２０ｍｍに設定され、脇身頃１３の幅寸法Ｌ４がＬ４４＝１３５ｍｍに設定され、脇身頃１３の前身頃１１側への傾斜角αがα２＝１２度に設定される。このような上衣１０では、第３の上衣１０ｃより、脇身頃１３の幅寸法Ｌ４をやや大きくすることによって、袖口のねじれ現象、前袖付け部分が脇へ食い込む現象、および着用者が腕を振り上げると、後身頃１２側に引き攣り現象を解消し、すべての不所望な現象を解消することができた。
【００４０】
したがって、本実施の形態では、第１突出部分２１の頂点２１ａと第２突出部分２６の頂点２６ａとの間隔Ｌ１を２０ｍｍに設定し、脇身頃１３の幅寸法Ｌ４を１３５ｍｍに設定し、脇身頃１３の前身頃１１側への傾斜角αが１２度に設定することによって、運動性を確保し、美しいシルエットを保つことができる上衣１０を実現することができる。
【００４１】
以上説明したように、本実施の形態の上衣１０によれば、上衣１０は、前身頃１１、後身頃１２および脇身頃１３の３つの身頃で構成され、前身頃１１および後身頃１２と脇身頃１３とが縫合される前身脇側部１５と後身脇側部２２とは、山形状に張り出す第１上部分１９および第２上部分２５をそれぞれ有する。これによって脇下部分に着用者の体表から離れる方向に膨出したゆとり部分を創出することができる。着用者は、このゆとり部分によって、腕の前後、斜めの運動と身体の屈伸およびねじり運動に対する運動性を得ることができ、さらに袖底を脇身頃１３が形成することによって、腕の上下運動に対する運動性を得ることができる。さらに、袖付け線１７の袖底部分２０を人体の腕付け根断面の底部位置に設定したことによって、ゆとり部分をすべてヌードボディ寸法上の脇下箇所に集中させることができ、シルエットを美しく保ち、だぶつきをなくすことができる。
【００４２】
このような上衣１０は、きものスリーブ、シャツスリーブ、セットインスリーブ、ラグランスリーブなどの本発明と異なる袖を有する上衣に比べて、両腕を真っすぐ上に上げる動作および片腕を上に上げて側屈動作をさせた場合のウェストにおける左右の布の移動量を最も少なくすることができ、かつ引き攣れが生じることを防ぐことができる。
【００４３】
また第２上部分２５は、第１上部分１９の頂点から第２下部分２４寄りに頂点を有する。身体は、前身表面より後身表面の方が大きく、前身表面と後身表面との比は、約４：６あり、また腕を真上に上げようとすると、人間工学上、腕はやや前方に傾くので、第２上部分２５が第２下部分２４寄りに頂点を有することによって、前述のような身体のバランスに対応することができる。また脇身頃１３を、裾に対して前身頃１１側に傾斜させることによって、より上衣１０を身体に沿った形状にして、運動性を確保することができる。したがって本発明の上衣１０によって、運動によって生ずる各部の引き攣れをなくし、さらに衣服布面と人体皮膚との摩擦をなくして着くずれを防止するばかりでなく、だぶつきをなくして静止着用状態におけるシルエットを所望の美しいシルエットに保つことができる。
【００４４】
また本実施の形態では、両脇身頃の幅寸法は、胴回り寸法に対する比が、０．２３以上０．２５以下である。前述の比が、０．２３未満であると、両脇身頃の幅寸法が胴回り寸法に対して小さくなりすぎて、肩関節の運動が阻害され、０．２５より大きいと、脇身頃１３部分がだぶつき、きれいなシルエットを表現することができなくなる。したがって両脇身頃の幅寸法は、胴回り寸法に対する比を、０．２３以上０．２５以下に設定することによって、肩関節の運動が阻害されることを防止することができ、かつきれいなシルエットを表現することができる。
【００４５】
さらに本実施の形態では、両肩幅は、着用者のショルダーポイント間の寸法より小さく設定される。従来の技術では、両肩幅は、ショルダーポイント間の寸法に等しく設定されるので、袖付け線１７に沿って縫合される部分によって、着用者の肩関節の運動が阻害されるおそれがある。本実施の形態の上衣１０では、両肩幅は、着用者のショルダーポイント間の寸法より、たとえば２０ｍｍ程度小さく設定されるので、肩関節の運動の中心に袖付け線１７を配置することができる。したがって袖付け線１７に沿って縫合される部分によって、着用者の肩関節の運動を阻害することを防ぐことができる。これによって運動性をより許容する上衣１０を実現することができる。
【００４６】
さらに本実施の形態では、両肩幅は、胸回りに対する比が０．３６以上０．４０以下である。肩幅と胸回りとの関係によって、肩関節の運動を阻害、および引き攣れが生じるおそれがあり、前述の比が、０．３６未満であると、両肩幅より胸回りの寸法が大きくなりすぎて、身頃部分がだぶつき、きれいなシルエットを表現することができず、０．４０より大きいと、両肩幅より胸回りが小さくなりすぎて、肩関節の運動が阻害される。したがって両肩幅は、胸回りに対する比が０．３６以上０．４０以下に設定することによって、肩関節の運動が阻害されることを防止することができ、かつきれいなシルエットを表現することができる。
【００４７】
さらに本実施の形態では、上袖１４は、第１上部分１９の頂部２１ａに縫合される第３部分３３ａから延び、上袖１４の中心線３５に対して垂直な第１垂線３６に対して、第２上部分２５の頂部２６ａに縫合される第４部分３３ｂから延び、上袖１４の中心線３５に対して垂直な第２垂線３７が、中心線３５が延びる方向の袖山３３側に離間している。前述したように、身体は、前身表面より後身表面の方が大きく、また腕を真上に上げようとすると、人間工学上、腕はやや前方に傾く。したがって第２上部分２５の頂部２６ａに縫合される第４部分３３ｂを袖山３３側にすることによって、前述のような身体のバランスに起因して、上袖１４の軸線回りに不所望に角変位することを防ぐことができる。これによって上袖１４を腕に沿った形状にして、運動性を確保することができる。
【００４８】
さらに本実施の形態では、上袖１４の袖幅は、脇身頃１３の裾幅より予め定める突出量Ｌ８だけ大きく、前記突出量Ｌ８と第２上部分２５の張出量Ｌ２との合計が、６０ｍｍ以上１００ｍｍ以下に設定される。前述の合計が１００ｍｍより大きくなると、ゆとり部分が大きくなりすぎ収まりが悪く、突出部分がシルエットを害し、前述の合計が６０ｍｍより小さくなると、ゆとり部分が小さくなりすぎるので、腕をあげたときに引き攣れ、くい込みおよび袖口のねじれなどが生じるので、前述の合計を６０ｍｍ以上１００ｍｍ以下に設定することによって、ゆとり部分によって運動性を確保し、かつ所望のシルエットを得る上衣１０を実現することができる。
【００４９】
本実施の形態では、図６に示すように、ヨークを含んで構成され、ヨークを取り付けることによって着衣時の重量感を取り除くことができる。これはデザイン等によって多少変化するものであり、運動機能とはかかわり方が少ない。
【図面の簡単な説明】
【００５０】
【図１】上衣１０を構成する前身頃１１および後身頃１２を示す正面図である。
【図２】上衣１０を構成する脇身頃１３を示す正面図である。
【図３】前身頃１１を示す正面図である。
【図４】後身頃１２を示す正面図である。
【図５】上衣１０を構成する上袖１４、前身頃１１、後身頃１２および脇身頃１３の寸法関係を説明するための図である。
【図６】上衣１０を示す図であって、左半分は正面図を示し、右半分は背面図を示す。
【図７】上衣１０を示す平面図であって、胴回りを説明するための平面図である。
【図８】上袖１４を示す正面図である。
【図９】４種類の上衣１０を示す正面図である。
【図１０】第１の従来の技術の上衣の前身頃１および後身頃２を示す正面図である。
【符号の説明】
【００５１】
１０  上衣
１１  前身頃
１２  後身頃
１３  脇身頃
１４  袖
１５  前身脇側部
１８  第１下部分
１９  第１上部分
２１  第１突出部分
２２  後身脇側部
２４  第２下部分
２５  第２上部分
２６  第２突出部分
２７  脇身前側部
２９  脇身後側部
【図１】
2007247083.tif 000003
【図２】
2007247083.tif 000004
【図３】
2007247083.tif 000005
【図４】
2007247083.tif 000006
【図５】
2007247083.tif 000007
【図６】
2007247083.tif 000008
【図７】
2007247083.tif 000009
【図８】
2007247083.tif 000010
【図９】
2007247083.tif 000011
【図１０】
2007247083.tif 000012
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
脇身頃、前身頃、後身頃および上袖を含む上衣であって、
前身頃は、一側部が脇身頃の一側部と縫合される前身脇側部を有し、
後身頃は、一側部が脇身頃の他側部と縫合される後身脇側部を有し、
脇身頃は、
一側部に第１袖付け部、および前身脇側部と縫合される脇身前側部を有し、
他側部に第２袖付け部、および後身脇側部と縫合される脇身後側部を有し、
脇身前側部の一端部が第１袖付け部に連結され、脇身後側部の一端部が第２袖付け部に連結され、
第１袖付け部および第２袖付け部が脇身前側部および脇身後側部に対して、前身頃側に傾斜するように構成され、前身頃側への傾斜角度は、１０度以上１２度以下に設定され、
前記前身脇側部は、
略直線状の第１下部分と、
前記第１下部分に連結され、袖付け線の袖底部分を頂点として、脇身頃側に山形状に張り出す第１上部分とを有し、
前記後身脇側部は、
略直線状の第２下部分と、
前記第２下部分に連結され、袖付け線の袖底部分であって、第１上部分の頂点から第２下部分寄りを頂点として、脇身頃側に山形状に張り出す第２上部分とを有し、
第１上部分の頂点と第２上部分の頂点との間隔は、１０ｍｍ以上３０ｍｍ以下に設定され、
第２上部分の第２下部分に対する張出量は、第１上部分の第１下部分に対する張出量よりも大きくなるように構成され、第１上部分の前記張出量は、２０ｍｍ以上３０ｍｍ以下に設定され、第２上部分の前記張出量は、３０ｍｍ以上５０ｍｍ以下に設定され、
前記脇身前側部は、
第１下部分と縫合される略直線状の第３下部分と、
第３下部分に連結され、第１上部分と縫合されて袖底部分を構成する第３上部分とを有し、
前記脇身後側部は、
第２下部分と縫合される略直線状の第４下部分と、
第４下部分に連結され、第２上部分と縫合されて袖底部分を構成する第４上部分とを有し、
両脇身頃の幅寸法は、胴回り寸法に対する比が、０．２３以上０．２５以下であり、
両肩幅は、胸回りに対する比が０．３６以上０．４０以下であり、
上袖は、両側部が第１袖付け部および第２袖付け部にそれぞれ縫合され、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間し、
袖幅は、脇身頃の裾幅より予め定める突出量だけ大きく、前記突出量と第２上部分の張出量との合計が、６０ｍｍ以上１００ｍｍ以下であることを特徴とする上衣。
【手続補正２】
【補正対象書類名】明細書
【補正対象項目名】０００８
【補正方法】変更
【補正の内容】
【０００８】
本発明は、脇身頃、前身頃、後身頃および上袖を含む上衣であって、
前身頃は、一側部が脇身頃の一側部と縫合される前身脇側部を有し、
後身頃は、一側部が脇身頃の他側部と縫合される後身脇側部を有し、
脇身頃は、
一側部に第１袖付け部、および前身脇側部と縫合される脇身前側部を有し、
他側部に第２袖付け部、および後身脇側部と縫合される脇身後側部を有し、
脇身前側部の一端部が第１袖付け部に連結され、脇身後側部の一端部が第２袖付け部に連結され、
第１袖付け部および第２袖付け部が脇身前側部および脇身後側部に対して、前身頃側に傾斜するように構成され、前身頃側への傾斜角度は、１０度以上１２度以下に設定され、
前記前身脇側部は、
略直線状の第１下部分と、
前記第１下部分に連結され、袖付け線の袖底部分を頂点として、脇身頃側に山形状に張り出す第１上部分とを有し、
前記後身脇側部は、
略直線状の第２下部分と、
前記第２下部分に連結され、袖付け線の袖底部分であって、第１上部分の頂点から第２下部分寄りを頂点として、脇身頃側に山形状に張り出す第２上部分とを有し、
第１上部分の頂点と第２上部分の頂点との間隔Ｌ１は、１０ｍｍ以上３０ｍｍ以下に設定され、
第２上部分の第２下部分に対する張出量は、第１上部分の第１下部分に対する張出量よりも大きくなるように構成され、第１上部分の前記張出量は、２０ｍｍ以上３０ｍｍ以下に設定され、第２上部分の前記張出量は、３０ｍｍ以上５０ｍｍ以下に設定され、
前記脇身前側部は、
第１下部分と縫合される略直線状の第３下部分と、
第３下部分に連結され、第１上部分と縫合されて袖底部分を構成する第３上部分とを有し、
前記脇身後側部は、
第２下部分と縫合される略直線状の第４下部分と、
第４下部分に連結され、第２上部分と縫合されて袖底部分を構成する第４上部分とを有し、
両脇身頃の幅寸法は、胴回り寸法に対する比が、０．２３以上０．２５以下であり、
両肩幅は、胸回りに対する比が０．３６以上０．４０以下であり、
上袖は、両側部が第１袖付け部および第２袖付け部にそれぞれ縫合され、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間し、
袖幅は、脇身頃の裾幅より予め定める突出量だけ大きく、前記突出量と第２上部分の張出量との合計が、６０ｍｍ以上１００ｍｍ以下であることを特徴とする上衣である。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】変更
【補正の内容】
【００１４】
本発明によれば、上衣は、前身頃、後身頃および脇身頃の３つの身頃と、上袖とで構成され、前身頃および後身頃と脇身頃とが縫合される前身脇側部と後身脇側部とは、山形状に張り出す第１上部分および第２上部分をそれぞれ有する。これによって脇下部分に着用者の体表から離れる方向に膨出したゆとり部分を創出することができる。着用者は、このゆとり部分によって、腕の前後、斜めの運動と身体の屈伸およびねじり運動に対する運動性を得ることができ、さらに袖底を脇身頃が形成することによって、腕の上下運動に対する運動性を得ることができる。さらに、袖付け線の袖底部分を人体の腕付け根断面の底部位置に設定することによって、ゆとり部分をすべてヌードボディ寸法上の脇下箇所に集中させることができ、シルエットを美しく保ち、だぶつきをなくすことができる。
【手続補正９】
【補正対象書類名】明細書
【補正対象項目名】００１５
【補正方法】変更
【補正の内容】
【００１５】
また第２上部分は、第１上部分の頂点から第２下部分寄りに頂点を有し、第１上部分の頂点と第２上部分の頂点との間隔Ｌ１は、１０ｍｍ以上３０ｍｍ以下に設定される。また第１袖付け部および第２袖付け部が脇身前側部および脇身後側部に対して、前身頃側に傾斜するように構成され、前身頃側への傾斜角度は、１０度以上１２度以下に設定される。また第２上部分の第２下部分に対する張出量は、第１上部分の第１下部分に対する張出量よりも大きくなるように構成され、第１上部分の前記張出量は、２０ｍｍ以上３０ｍｍ以下に設定され、第２上部分の前記張出量は、３０ｍｍ以上５０ｍｍ以下に設定される。身体は、前身表面より後身表面の方が大きいので、第２上部分が第２下部分寄りに頂点を有し、また第２上部分の前記張出量は、第１上部分の前記張出量よりも大きくなるように構成することによって、前述のような身体のバランスに対応することができる。また腕を真上に上げようとすると、人間工学上、腕はやや前方に傾く。したがって第１および第２袖付け部を前身頃側へ傾斜させることによって、前述のような身体のバランスに対応することができる。これによってより上衣を身体に沿った形状にして、運動性を確保することができ、容易に上衣の形状を選択することができる。したがって本発明の上衣によって、運動によって生ずる各部の引き攣れをなくし、さらに衣服布面と人体皮膚との摩擦をなくして着くずれを防止するばかりでなく、だぶつきをなくして静止着用状態におけるシルエットを所望の美しいシルエットに保つことができる。
【手続補正１０】
【補正対象書類名】明細書
【補正対象項目名】００１６
【補正方法】変更
【補正の内容】
【００１６】
また両脇身頃の幅寸法は、胴回り寸法に対する比が、０．２３以上０．２５以下である。前述の比が、０．２３未満であると、両脇身頃の幅寸法が胴回り寸法に対して小さくなりすぎて、肩関節の運動が阻害され、０．２５より大きいと、脇身頃部分がだぶつき、きれいなシルエットを表現することができなくなる。したがって両脇身頃の幅寸法は、胴回り寸法に対する比を、０．２３以上０．２５以下に設定することによって、肩関節の運動が阻害されることを防止することができ、かつきれいなシルエットを表現することができる。
【手続補正１１】
【補正対象書類名】明細書
【補正対象項目名】００１７
【補正方法】削除
【補正の内容】
【手続補正１２】
【補正対象書類名】明細書
【補正対象項目名】００１８
【補正方法】変更
【補正の内容】
【００１８】
さらに両肩幅は、胸回りに対する比が０．３６以上０．４０以下である。肩幅と胸回りとの関係によって、肩関節の運動を阻害、および引き攣れが生じるおそれがあり、前述の比が、０．３６未満であると、両肩幅より胸回りの寸法が大きくなりすぎて、身頃部分がだぶつき、きれいなシルエットを表現することができず、０．４０より大きいと、両肩幅より胸回りが小さくなりすぎて、肩関節の運動が阻害される。したがって両肩幅は、胸回りに対する比が０．３６以上０．４０以下に設定することによって、肩関節の運動の中心に袖付け線を配置することができ、肩関節の運動が阻害されることを防止することができ、かつきれいなシルエットを表現することができる。
【手続補正１３】
【補正対象書類名】明細書
【補正対象項目名】００１９
【補正方法】変更
【補正の内容】
【００１９】
さらに上袖は、第１上部分の頂部に縫合される部分から延び、上袖の中心線に対して垂直な第１垂線に対して、第２上部分の頂部に縫合される部分から延び、上袖の中心線に対して垂直な第２垂線が、中心線が延びる方向の袖山側に離間している。前述したように、身体は、前身表面より後身表面の方が大きく、また腕を真上に上げようとすると、人間工学上、腕はやや前方に傾く。したがって第２上部分の頂部に縫合される部分を中心線が延びる方向の袖山側に離間させることによって、前述のような身体のバランスに起因して、袖の軸線回りに不所望に角変位することを防ぐことができる。これによって袖を腕に沿った形状にして、運動性を確保することができる。
【手続補正１４】
【補正対象書類名】明細書
【補正対象項目名】００２０
【補正方法】変更
【補正の内容】
【００２０】
さらに袖幅は、脇身頃の裾幅より予め定める突出量だけ大きく、前記突出量と第２上部分の張出量との合計が、６０ｍｍ以上１００ｍｍ以下である。前述の合計が１００ｍｍより大きくなると、だぶつき部分が大きくなりすぎ、前述の合計が６０ｍｍより小さくなると、だぶつき部分が小さくなりすぎるので、前述の合計を６０ｍｍ以上１００ｍｍ以下に設定することによって、だぶつき部分によって運動性を確保し、かつ所望のシルエットを得る上衣を実現することができる。